(57)【特許請求の範囲】
【請求項１】
主走査方向と直行する副走査方向にインクを吐出できるよう複数のノズルが配列された画像記録用ノズルアレイを有し、光硬化性の画像記録用インクを、主走査方向に往復移動しながら、副走査方向に搬送される記録媒体に対して吐出する画像記録用ヘッドと、
前記画像記録用ヘッドと主走査方向に並列に配設され、主走査方向と直行する副走査方向にインクを吐出できるよう複数のノズルが配列された補助記録用ノズルアレイを有し、画像の記録を補助する光硬化性の補助記録用インクを、主走査方向に往復移動しながら、前記記録媒体に対して吐出する補助記録用ヘッドと、
前記画像記録用ヘッドと前記補助記録用ヘッドとの主走査方向両側に、少なくとも前記補助記録用ヘッドの副走査方向の長さと同等の長さを以て配置され、前記記録媒体に吐出された前記画像記録用インクあるいは前記補助記録用インクに光を照射して硬化させる光照射装置と、
前記画像記録用ノズルアレイ及び前記補助記録用ノズルアレイから、それぞれインクを吐出させるノズルを選択して、各々のインク吐出領域を変更できるように前記画像記録用ノズルアレイ及び前記補助記録用ノズルアレイを制御するとともに、光を照射するタイミングを変更できるように前記光照射装置を制御する制御部と、を備え、
前記画像記録用インクのみを用いて画像の記録を行う通常モード、先に前記画像記録用インクにより画像の記録を行った後に前記補助記録用インクを重ねる先刷りモード、及び、先に前記補助記録用インクを吐出した後に前記画像記録用インクにより画像を重ねる後刷りモードのうちいずれか二以上の記録モードを有し、
前記制御部は、
前記通常モードにおいては、前記画像記録用ノズルアレイ全体をインクを吐出する画像記録用ノズルとして選択して、前記選択したノズルアレイからインクを吐出するように前記画像記録用ノズルアレイを制御し、
前記先刷りモードにおいては、画像記録用インクを吐出する画像記録用ノズルアレイを構成する一部のノズルが、補助記録用インクを吐出する補助記録用ノズルアレイを構成する一部のノズルより副走査方向において上流側となるようにし、上流側に位置した前記画像記録用ノズルアレイの一部から前記画像記録用インクを吐出すると共に、下流側に位置した前記補助記録用ノズルアレイの一部から前記補助記録用インクを吐出するように前記各ヘッドのノズルを各々選択し、前記選択したノズルから各々インクを吐出するように前記画像記録用ノズルアレイ及び前記補助記録用ノズルアレイを制御するとともに、上流側に位置した前記画像記録用ノズルアレイの一部から吐出したインクに前記光照射装置から光を照射して硬化させた後に、下流側に位置した前記補助記録用ノズルアレイの一部からインクが吐出されるように制御し、
前記後刷りモードにおいては、画像記録用インクを吐出する画像記録用ノズルアレイを構成する一部のノズルが、補助記録用インクを吐出する補助記録用ノズルアレイを構成する一部のノズルより副走査方向において下流側となるようにし、下流側に位置した前記画像記録用ノズルアレイの一部から画像記録用インクを吐出すると共に、上流側に位置した前記補助記録用ノズルアレイの一部から補助記録用インクを吐出するように前記各ヘッドのノズルを各々選択し、前記選択したノズルから各々インクを吐出するように前記画像記録用ノズルアレイ及び前記補助記録用ノズルアレイを制御するするとともに、上流側に位置した前記補助記録用ノズルアレイの一部から吐出したインクに前記光照射装置から光を照射して硬化させた後に、下流側に位置した前記画像記録用ノズルアレイの一部から前記インクが吐出されるように制御することを特徴とするインクジェット記録装置。
【請求項２】
前記補助記録用インクは、画像の背景の記録に用いる背景用インクであり、
前記先刷りモードは、前記記録媒体の裏面に前記画像記録用インクにより画像を記録し、その上から前記背景用インクを吐出する裏刷りモードであり、前記後刷りモードは、前記記録媒体の表面に前記背景用インクを吐出し、その上から前記画像記録用インクにより画像を記録する表刷りモードであることを特徴とする請求項１に記載のインクジェット記録装置。
【請求項３】
前記背景用インクは、白色インクであることを特徴とする請求項２に記載のインクジェット記録装置。
【請求項４】
前記制御部がインク吐出のために選択するノズルは、前記ノズルアレイのうちの副走査方向における上流側ノズル、下流側ノズル、或いは全体のいずれかであることを特徴とする請求項１に記載のインクジェット記録装置。
【請求項５】
前記画像記録用ヘッドは同種のインクを吐出する複数の画像記録用ノズルアレイ、及び前記補助記録用ヘッドは同種のインクを吐出する複数の補助記録用ノズルアレイを副走査方向に沿ってそれぞれ配設し、
前記制御部がインク吐出のために選択するノズルは、前記同種のインクを吐出する複数のノズルアレイのうちの副走査方向における上流側ノズルアレイ、下流側ノズルアレイ、或いは全ノズルアレイのいずれかであることを特徴とする請求項１に記載のインクジェット記録装置。
【請求項６】
前記画像記録用インク及び補助記録用インクは紫外線を照射することにより硬化する紫外線硬化型のインクであり、前記光照射装置は、紫外線照射装置であることを特徴とする請求項１に記載のインクジェット記録装置。
【請求項７】
前記補助記録用インクによる画像の記録の補助は、背景の記録、画像の光沢化、画像の平滑化、画像の発色性の増大、画像の記録そのもの、のうち少なくとも一つを含むことを特徴とする請求項１に記載のインクジェット記録装置。
【発明の詳細な説明】
【技術分野】
【０００１】
本発明は、インクジェット記録装置に係り、特に画像を主として記録する画像記録用インクの他に背景用インクや透明インクといった補助記録用インクを用いるインクジェット記録装置に関する。
【背景技術】
【０００２】
近年、グラビア印刷方式やフレキソ印刷方式などの製版を必要とする方式に比較して、簡便にかつ安価に画像を形成することができるという理由から、インクジェット記録装置が多く用いられるようになってきている。【０００３】
特に、このようなインクジェット記録装置を用いて商品や商品の包装に画像記録を行う分野では、商品や商品の包装に、樹脂や金属などのインク吸収性のない材料を用いることが多い。なお、インク吸収性のない記録媒体に対してインクを定着させるためには、光硬化性インクを用い、このインクを記録媒体に吐出した後、例えば、紫外線などの光を照射してインクを硬化定着させることが行われている。【０００４】
また、このような分野では、例えば、透明な包装材に対して、白色等の特色を背景色として文字、記号及び絵等の画像を記録することが行われている。このように透明な包装材に背景を印刷する場合、記録媒体の表面に、まず背景用インクをベタに吐出し、その上から画像を記録する表刷りと、記録媒体の裏面に、まず画像を記録し、その上から背景用インクをベタに吐出する裏刷りとがある。また、色付きの記録媒体に対して画像を記録する場合に、画像の発色を良くするために像状に吐出した白色のインクの上からカラーインクを吐出して画像を記録することや、記録された画像の表面に透明なインクを吐出して、平滑性や光沢感を向上させることも行われている。【０００５】
このように画像を主として記録するための各色画像記録用インクと、背景用インクや透明インクといった画像の記録を補助する補助記録用インクとを使用して画像の記録を行うインクジェット記録装置として、従来、インクを吐出するノズルを形成してなる記録ヘッドを有し、記録ヘッドから記録媒体に対して前記インクを吐出させながら記録ヘッドを主走査方向に往復移動させるとともに、記録媒体を主走査方向と直行する副走査方向に搬送させて画像を記録するシリアル記録方式のインクジェット記録装置において、各色の画像記録用インクを吐出する画像記録用ヘッドの主走査方向における両側部に補助記録用インクを吐出する補助記録用ヘッドを配設したインクジェット記録装置が知られている（例えば、特許文献１参照）。【０００６】
このようなインクジェット記録装置によれば、例えば表刷りを行う場合には、往方向、復方向のそれぞれにおいて、画像記録用ヘッドの上流側に位置する補助記録用ヘッドからインクをベタに吐出して背景を記録するとともに、画像記録用ヘッドから画像データに基づいてインクを吐出して画像を記録することが行われている。また、裏刷りを行う場合には、往方向、復方向のそれぞれにおいて、画像記録用ヘッドの上流側に位置する補助記録用ヘッドからはインクを吐出させず、画像記録用ヘッドから画像データに基づいてインクを吐出して画像を記録するとともに、画像記録用ヘッドの下流側に位置する補助記録用ヘッドからインクをベタに吐出して背景を記録することが行われている。【０００７】
また、補助記録用インクを各色画像記録用インクの副走査方向における上流側と下流側にそれぞれ配置したインクジェット記録装置も知られている（例えば、特許文献１参照）。【０００８】
このようなインクジェット記録装置によれば、例えば表刷りを行う場合には、画像記録用ヘッドの副走査方向における上流側に位置する補助記録用ヘッドからインクをベタに吐出して背景を記録し、背景が記録された記録媒体が副走査方向に搬送された後に、当該背景が記録された部分に、画像記録用ヘッドからインクを吐出して画像を記録することが行われている。また、裏刷りを行う場合には、画像記録用ヘッドの副走査方向における上流側に位置する補助記録用ヘッドからはインクを吐出させず、画像記録用ヘッドからインクを吐出して画像を記録し、画像が記録された記録媒体が副走査方向に搬送された後に、当該画像が記録された部分に、画像記録用ヘッドの下流側に位置する補助記録用ヘッドからインクをベタに吐出して背景を記録することが行われている。
【特許文献１】特開２００３−２８５４２２号公報
【発明の開示】
【０００９】
しかし、従来のインクジェット記録装置では、画像記録用ヘッドの主走査方向における両側部、あるいは副走査方向における上流側または下流側の少なくとも一方に、補助記録用ヘッドが配設されているため、各ヘッドを搭載したキャリッジ及び装置全体が大型化する上、装置コストも高くなるという問題があった。また、画像記録用ヘッドの副走査方向における上流側または下流側の少なくとも一方に補助記録用ヘッドを設けた場合には、記録媒体を支持するプラテンの面積が大きくなり、プラテンと記録媒体との摩擦や吸着力により搬送精度が低下し画質が低下するという問題があった。
【００１０】
また、特に、光硬化型のインクを用いて画像を記録するインクジェット記録装置においては、重ねて吐出するインクが互いに混じったり、滲んだりすることを防止するため、先に吐出したインクに光を照射して硬化させ、インクを記録媒体に定着させた後に、次のインクを吐出する必要がある。
【００１１】
したがって、画像記録用ヘッドの主走査方向における両側部に補助記録用ヘッドを設ける場合には、記録媒体に着弾したインクに対して光を照射する光照射装置を、画像記録用ヘッド及び補助記録用ヘッドからなるヘッドユニットの主走査方向における両側部のみならず、画像記録用ヘッドと補助記録用ヘッドとの間にも設けなければならないため、キャリッジが大型化する上、光照射装置の発熱により画質が低下したり、消費電力が大きくなるという問題があった。
【００１２】
また、画像記録用ヘッドの副走査方向における上流側または下流側の少なくとも一方に補助記録用ヘッドを設ける場合には、光照射装置の装置構成を簡易にするため、画像記録用ヘッドから吐出されたインクと補助記録用ヘッドから吐出されたインクとの両者に光を照射することができるように、光照射装置を、画像記録用ヘッド及び補助記録用インクの記録ヘッドの副走査方向における上流側端部から下流側端部にわたって設けることが行われており、光照射装置が大型化するため、発熱により画質が低下したり、消費電力が大きくなるという問題があった。
【００１３】
そこで、本発明は、画像記録用インクと背景用インク等の補助記録用インクとを重ねて記録することができるインクジェット記録装置であって、小型で装置コストが低く、かつ、良好な画像を得ることができるインクジェット記録装置を提供することを目的とする。
【００１４】
本発明の一つの態様におけるインクジェット記録装置は、主走査方向と直行する副走査方向にインクを吐出できるよう複数のノズルが配列された画像記録用ノズルアレイを有し、光硬化性の画像記録用インクを、主走査方向に往復移動しながら、副走査方向に搬送される記録媒体に対して吐出する画像記録用ヘッドと、前記画像記録用ヘッドと主走査方向に並列に配設され、主走査方向と直行する副走査方向にインクを吐出できるよう複数のノズルが配列された補助記録用ノズルアレイを有し、画像の記録を補助する光硬化性の補助記録用インクを、主走査方向に往復移動しながら、前記記録媒体に対して吐出する補助記録用ヘッドと、前記画像記録用ヘッドと前記補助記録用ヘッドとの主走査方向両側に、少なくとも前記補助記録用ヘッドの副走査方向の長さと同等の長さを以て配置され、前記記録媒体に吐出された前記画像記録用インクあるいは前記補助記録用インクに光を照射して硬化させる光照射装置と、前記画像記録用ノズルアレイ及び前記補助記録用ノズルアレイから、それぞれインクを吐出させるノズルを選択して、各々のインク吐出領域を変更できるように前記画像記録用ノズルアレイ及び前記補助記録用ノズルアレイを制御するとともに、光を照射するタイミングを変更できるように前記光照射装置を制御する制御部と、を備え、前記画像記録用インクのみを用いて画像の記録を行う通常モード、先に前記画像記録用インクにより画像の記録を行った後に前記補助記録用インクを重ねる先刷りモード、及び、先に前記補助記録用インクを吐出した後に前記画像記録用インクにより画像を重ねる後刷りモードのうちいずれか二以上の記録モードを有し、前記制御部は、前記通常モードにおいては、前記画像記録用ノズルアレイ全体をインクを吐出する画像記録用ノズルとして選択して、前記選択したノズルアレイからインクを吐出するように前記画像記録用ノズルアレイを制御し、前記先刷りモードにおいては、画像記録用インクを吐出する画像記録用ノズルアレイを構成する一部のノズルが、補助記録用インクを吐出する補助記録用ノズルアレイを構成する一部のノズルより副走査方向において上流側となるようにし、上流側に位置した前記画像記録用ノズルアレイの一部から前記画像記録用インクを吐出すると共に、下流側に位置した前記補助記録用ノズルアレイの一部から前記補助記録用インクを吐出するように前記各ヘッドのノズルを各々選択し、前記選択したノズルから各々インクを吐出するように前記画像記録用ノズルアレイ及び前記補助記録用ノズルアレイを制御するとともに、上流側に位置した前記画像記録用ノズルアレイの一部から吐出したインクに前記光照射装置から光を照射して硬化させた後に、下流側に位置した前記補助記録用ノズルアレイの一部からインクが吐出されるように制御し、前記後刷りモードにおいては、画像記録用インクを吐出する画像記録用ノズルアレイを構成する一部のノズルが、補助記録用インクを吐出する補助記録用ノズルアレイを構成する一部のノズルより副走査方向において下流側となるようにし、下流側に位置した前記画像記録用ノズルアレイの一部から画像記録用インクを吐出すると共に、上流側に位置した前記補助記録用ノズルアレイの一部から補助記録用インクを吐出するように前記各ヘッドのノズルを各々選択し、前記選択したノズルから各々インクを吐出するように前記画像記録用ノズルアレイ及び前記補助記録用ノズルアレイを制御するするとともに、上流側に位置した前記補助記録用ノズルアレイの一部から吐出したインクに前記光照射装置から光を照射して硬化させた後に、下流側に位置した前記画像記録用ノズルアレイの一部から前記インクが吐出されるように制御する。
【図面の簡単な説明】
【００１５】
【図１】本発明によるインクジェット記録装置の一実施形態の構成を示す平面図である。
【図２】本実施形態に係るインクジェット記録装置の構成を示すブロック図である。
【図３】本実施形態に係るインクジェット記録装置の画像記録用ヘッド及び補助記録用ヘッドにおけるインク吐出領域を説明する模式図である。
【図４】第２実施形態に係るインクジェット記録装置の画像記録用ヘッド及び補助記録用ヘッドにおけるインク吐出領域を説明する模式図である。
【図５】第３実施形態に係るインクジェット記録装置の画像記録用ヘッド及び補助記録用ヘッドにおけるインク吐出領域を説明する模式図である。
【発明を実施するための最良の形態】
【００１６】
以下、本発明の第一の実施の形態を、図１から図３を参照して説明する。【００１７】
図１は、本発明に係るインクジェット記録装置の実施の一形態を示したもので、シリアルヘッド方式のインクジェット記録装置１である。インクジェット記録装置１は、図１に示すように、棒状のガイドレール２を有しており、このガイドレール２には、キャリッジ３が支持されている。このキャリッジ３は、キャリッジ駆動機構４（図２参照）によって主走査方向Ｘをガイドレール２に沿って往復移動するようになっている。【００１８】
キャリッジ３の中央部には、画像を主として記録するための画像記録用インクとして、例えば、イエロー（Ｙ）、マゼンタ（Ｍ）、シアン（Ｃ）、ブラック（Ｋ）の各色の色インクを記録媒体５に吐出するノズル（図示しない）を形成してなる画像記録用ヘッド６、及び画像の記録を補助する補助記録用インクとして、画像記録用インクにより記録される画像の背景を白色でベタ塗りするための白色インク（Ｗ）を吐出するノズルを形成してなる補助記録用ヘッド７が、それぞれ主走査方向Ｘに１列に搭載されている。【００１９】
本実施の形態で使用するインクは、紫外線を照射することにより硬化する紫外線硬化型のインクである。紫外線硬化型のインクとしては、重合性化合物として、ラジカル重合性化合物を含むラジカル重合系インク、カチオン重合性化合物を含むカチオン重合系インク、及びラジカル重合系インクとカチオン重合系インクとを複合させたハイブリッド型インクが適用可能である。なお、インクには、紫外線以外の光で重合して硬化する重合性化合物と、紫外線以外の光、例えば電子線、Ｘ線、赤外線等で重合性化合物同士の重合反応を開始させる光開始剤とが適用されてもよい。【００２０】
また、本発明によるインクジェット記録装置１に用いられる記録媒体５しては、普通紙、再生紙、光沢紙等の各種紙、各種布地、各種不織布、樹脂、金属、ガラス等の材質からなる記録媒体５が適用可能であるが、本実施形態では、特に、所謂軟包装に用いられる透明な非吸収性の樹脂製フィルムが好適に用いられる。【００２１】
画像記録用ヘッド６及び補助記録用ヘッド７からなるヘッドユニットの両側部には、ノズルから記録媒体５に吐出されたインクに対して紫外線を照射する光照射装置としての紫外線照射装置８が、ヘッド６，７における主走査方向Ｘと直行し記録媒体５を搬送する副走査方向Ｙの上流側端部から下流側端部にわたってそれぞれ設けられている。【００２２】
キャリッジ３の移動可能範囲の中央部分は、記録媒体５に記録を行う記録領域とされており、この記録領域には、記録媒体５を非記録面から水平に支持するプラテン９が設けられている。【００２３】
また、インクジェット記録装置１には、複数の搬送ローラ１０等により構成され、副走査方向Ｙに記録媒体５を送るための搬送機構１１（図２参照）が設けられている。搬送機構１１は、画像記録時において、キャリッジ３の動作に合わせて、記録媒体５の搬送と停止とを繰り返して記録媒体５を間欠的に搬送する。【００２４】
また、インクジェットプリンタ１の筐体上面には、例えばタッチパネルにより構成され、ユーザが選択可能な記録モードを表示するとともに、表示された記録モードをユーザが選択して入力する入力操作部１２が設けられている。この入力操作部１２は、後述の制御部１３に接続されており、所定操作に基づいて選択された記録モードに係る信号を制御部１３に対して出力するようになっている。【００２５】
図２は、本実施形態におけるインクジェット記録装置１を制御するための制御装置を示したものであり、この制御装置は、たとえば、ＣＰＵ、ＲＡＭ、ＲＯＭ（いずれも図示しない）からなり、ＲＯＭに記録された処理プログラムをＲＡＭに展開してＣＰＵによりこの処理プログラムを実行する制御部１３を有している。【００２６】
この制御部１３は、前述の処理プログラムに従い、キャリッジ駆動機構４、記録ヘッド６，７、搬送機構１１、及び紫外線照射装置８等の動作状況等のステータスに基づいて、各部材の動作を制御するようになっている。【００２７】
特に、インクジェット記録装置１では、制御部１３は、記録モードに応じて、画像記録用ヘッド６及び補助記録用ヘッド７からインクを吐出させるインク吐出領域１４をそれぞれ選択して、選択したインク吐出領域１４からインクを吐出させて画像を記録させるように画像記録用ヘッド６、補助記録用ヘッド７及び搬送機構１１等を制御するようになっている。【００２８】
記録モードとしては、例えば次の３つの記録モードを有している。すなわち、画像記録用インクのみを用いて画像の記録を行う通常モード、記録媒体５の表面に白色インクをベタに吐出し、その上から画像記録用インクを用いて画像を記録する表刷りモード、及び、記録媒体５の裏面に画像記録用インクを用いて画像を記録し、その上から白色インクをベタに吐出する裏刷りモードである。【００２９】
ここで、各記録モードにおけるインクの吐出領域の選択について具体的に説明する。制御部１３は、入力操作部１２より通常モードに係る信号が入力されると、図３（Ａ）に示すように、各画像記録用ヘッド６全体、すなわち各画像記録用ヘッド６に形成され副走査方向Ｙに配列したノズルのノズル列全体をインク吐出領域１４として選択するようになっている。ここで、通常モードにおいては、画像記録用インクとして白インク等の補助記録用インクを使用して画像を記録するようにしてもよい。この場合、画像記録用ヘッドとは、補助記録を行うためには用いず画像を記録するために用いる補助記録用ヘッドを含む概念である。【００３０】
また、入力操作部１２より表刷りモードに係る信号が入力されると、制御部１３は、図３（Ｂ）に示すように、各画像記録用ヘッド６については、ノズル列の副走査方向Ｙにおける下流側半分の領域をインク吐出領域１４として選択するとともに、補助記録用ヘッド７については、ノズル列の副走査方向Ｙにおける上流側半分の領域をインク吐出領域１４として選択するようになっている。【００３１】
また、入力操作部１２より裏刷りモードに係る信号が入力されると、制御部１３は、図３（Ｃ）に示すように、各画像記録用ヘッド６については、ノズル列の副走査方向Ｙにおける上流側半部の領域をインク吐出領域１４として選択するとともに、補助記録用ヘッド７については、ノズル列の副走査方向Ｙにおける下流側半分の領域をインク吐出領域１４として選択するようになっている。【００３２】
次に、本実施形態の作用について説明する。【００３３】
記録媒体５に画像を記録する際には、ユーザにより記録モードが選択され入力操作部１２から入力される。すると、選択された記録モードに係る信号が制御部１３に入力され、制御部１３により、当該選択された記録モードに応じたインク吐出領域１４が決定される。そして、キャリッジ駆動機構４が作動してキャリッジ３が記録媒体５の上方を主走査方向Ｘに往復移動するとともに、各ヘッドにおける決定されたインク吐出領域１４からインクが吐出される。吐出されたインクは順次記録媒体５に着弾し、この記録媒体５に着弾したインクに対して、キャリッジ３とともに往復移動する紫外線照射装置８により紫外線が順次照射され、インクが記録媒体５の上面で硬化する。【００３４】
具体的には、通常モードが選択された場合には、制御部１３により画像記録用ヘッド６全体がインク吐出領域１４とされ、全ノズルを用いて画像データに基づいた所定のノズルから各色インクが吐出される。そして、往方向、副方向のそれぞれにおいて、画像記録用ヘッド６の下流側に位置する紫外線照射装置８により、記録媒体５に着弾したインクに対して順次紫外線が照射され、インクが硬化する。これにより、背景のない画像が記録媒体５に記録される。【００３５】
また、表刷りモードが選択された場合には、制御部１３により画像記録用ヘッド６のノズル列における副走査方向Ｙの下流側領域及び補助記録用ヘッド７のノズル列における副走査方向Ｙの上流側領域がインク吐出領域１４とされ、一主走査ごとに、補助用記録ヘッドの上流側のノズルからは白色インクがベタに吐出され、画像記録用ヘッド６の下流側のノズルからは画像データに基づいた各色インクが吐出される。そして、往方向、副方向のそれぞれにおいて、ヘッドユニットの主走査方向Ｘ下流側に位置する紫外線照射装置８により、記録媒体５に着弾したインクに対して順次紫外線が照射される。【００３６】
ここで、補助記録用ヘッド７のインク吐出領域１４が、画像記録用ヘッド６のインク吐出領域１４より副走査方向Ｙにおいて上流に位置しているため、一主走査において補助記録用ヘッド７からベタに吐出され記録媒体５に着弾した白色インクが紫外線により記録媒体５上で硬化した後、この白色インクがベタ打ちされた部分が、副走査方向Ｙに搬送され、当該部分には、次の一主走査において画像記録用ヘッド６からインクが吐出され画像が記録される。これにより、白色を背景とした画像が記録媒体５に記録される。【００３７】
また、裏刷りモードが選択された場合には、制御部１３により画像記録用ヘッド６のノズル列における副走査方向Ｙの上流側領域及び補助記録用ヘッド７のノズル列における副走査方向Ｙの下流側領域がインク吐出領域１４とされ、記録媒体５の裏面に対して、一主走査ごとに、画像記録用ヘッド６の上流側のノズルからは画像データに基づいた各色インクが吐出され、補助記録用ヘッド７の下流側のノズルからは白色インクがベタに吐出される。そして、往方向、副方向のそれぞれにおいて、ヘッドの主走査方向Ｘ下流側に位置する紫外線照射装置８により、記録媒体５に着弾したインクに対して順次紫外線が照射される。【００３８】
ここで、画像記録用ヘッド６のインク吐出領域１４が、補助記録用ヘッド７のインク吐出領域１４より副走査方向Ｙにおいて上流に位置しているため、一主走査において画像記録用ヘッド６から画像データに基づいて吐出された各色インクが紫外線により記録媒体５上で硬化した後、この画像が記録された部分が、副走査方向Ｙに搬送され、当該部分には、次の一主走査において補助記録用ヘッド７からベタに白色インクが記録媒体５に吐出される。これにより、白色を背景とした画像が記録媒体５に記録される。【００３９】
このように、画像記録用インクと補助記録用インクとを重ねて記録する場合にあっては、いずれか先に記録するヘッドにおけるインクを吐出させるノズル領域が、後に記録するヘッドにおけるインクを吐出させるノズル領域より、副走査方向Ｙにおいて上流側になるように選択すればよく、上流側で吐出されたインクにはヘッドユニットの両側部に設けられた紫外線照射装置８の副走査方向Ｙにおける上流側において照射された紫外線によりインクが硬化するため、画像記録用ヘッド６の両側部に補助記録用ヘッド７を設けた上に、画像記録用ヘッド６と補助記録用ヘッド７との間にも紫外線照射装置８を設けるという必要がない。【００４０】
また、画像記録用ヘッド６の副走査方向Ｙにおける上流側及び下流側に補助記録用ヘッド７を設ける必要もないため、紫外線照射装置８を、副走査方向Ｙに画像記録用ヘッド６及び補助記録用インクの合計ヘッド長分の長さで設ける必要もない。【００４１】
以上より、本実施形態によれば、画像記録用ヘッド６の両側部に補助記録用ヘッド７を設けたり、画像記録用ヘッド６の副走査方向Ｙにおける上流側および下流側に補助記録用ヘッド７を設ける必要がないため、各ヘッドを搭載するキャリッジ３や装置全体の小型化を図ることができ、装置コストを低減することができる。また、記録媒体５を支持するプラテン９の面積を大きくする必要がないため、搬送精度が低下することがなく良好な画像を得ることができる。【００４２】
さらに、紫外線照射装置８を、画像記録用ヘッド６と補助記録用ヘッド７との間に設けたり、副走査方向Ｙに画像記録用ヘッド６及び補助記録用ヘッド７の２ヘッド長分の長さで設けたりする必要もないことからも、装置の小型化及び装置コストの低減を図ることができ、かつ、紫外線照射装置８からの発熱量が低減され良好な画像を得ることができる。【００４３】
なお、本実施形態においては、表刷りモード及び裏刷りモードでは、各ヘッド６，７のノズル列の副走査方向Ｙにおける上流側半分の領域または下流側半分の領域をインク吐出領域１４として選択するようにしたが、これに限定されるものではなく、例えば上流側１／３の領域または下流側１／３の領域を選択するようにしてもよい。また、各ヘッドのノズル列において例えば副走査方向Ｙの下流側一定領域のノズルを、インクの吐出不良が生じたノズルの予備用のノズルとし、他のノズルについて各記録モードに応じてインク吐出領域１４を選択可能に分割するようにしてもよい。この場合、通常モードにおける画像記録用ヘッド全体とは、予備用のノズルを除いたノズル列全体をいう。【００４４】
また、本実施形態においては、画像記録用インクとしてイエロー（Ｙ）、マゼンタ（Ｍ）、シアン（Ｃ）、ブラック（Ｋ）の各色インクを、補助記録用インクとして白色インクを用いるようにしたが、使用するインクの色はこれに限るものではなく、例えば、ライトイエロー（LＹ）、ライトマゼンタ（LＭ）、ライトシアン（LＣ）、ライトブラック（LＫ）を加えた８色を画像記録用インクとして使用するようにしてもよいし、補助記録用インクとして銀色等の特色を用いるようにしてもよい。【００４５】
また、本実施形態においては、補助記録用ヘッド７から白色インクをベタに吐出させ、白色を背景とした画像を記録するようにしたが、白色インクをドットで像状に吐出させ、その上から各色インクにより画像を記録することにより発色性の高い画像を得るようにしてもよい。この場合、先に補助記録用インクを吐出した後に画像記録用インクにより画像を重ねる後刷りモードを選択可能に構成し、この後刷りモードにおいては、例えば、各画像記録用ヘッド６については、ノズル列の副走査方向Ｙにおける下流側半分の領域をインク吐出領域１４とし、補助記録用ヘッド７については、ノズル列の副走査方向Ｙにおける上流側半分の領域をインク吐出領域１４として、制御部１３により画像記録用ヘッド６及び補助記録用ヘッド７を制御してインクを吐出させるようにするとよい。【００４６】
さらに、各色インクにより画像を記録した上から、補助記録用ヘッド７より透明インクを吐出させ、平滑性や光沢感のある画像を得るようにしてもよい。この場合、先に画像記録用インクにより画像の記録を行った後に補助記録用インクを重ねる先刷りモードを選択可能に構成し、この先刷りモードにおいては、例えば、各画像記録用ヘッド６については、ノズル列の副走査方向Ｙにおける上流側半分の領域をインク吐出領域１４とし、補助記録用ヘッド７については、ノズル列の副走査方向Ｙにおける下流側半分の領域をインク吐出領域１４として、制御部１３により画像記録用ヘッド６及び補助記録用ヘッド７を制御してインクを吐出させるようにするとよい。【００４７】
また、例えば、補助記録用ヘッド７として、白色インクをベタに吐出させるヘッド及び透明インクを吐出させるヘッドを備える構成としてもよいし、白色インクを像状に吐出させるヘッド及び透明インクを吐出させるヘッドを備える構成としてもよいし、さらには、白色インクをベタに吐出させるか像状に吐出させるかを選択可能な構成としてもよい。【００４８】
次に、本発明によるインクジェット記録装置の第２実施形態について、図４を参照して説明する。なお、本実施形態によるインクジェット記録装置２０は、画像記録用ヘッド６及び補助記録用ヘッド７の配置、並びにインクの吐出動作に関する制御以外の構成は、第１実施形態とほぼ同様であるので、以下においては、特に第１実施形態と異なる点について説明する。【００４９】
インクジェット記録装置２０は、キャリッジ駆動機構（図示しない）により記録媒体の上方を主走査方向Ｘに往復移動するキャリッジ３を有しており、このキャリッジ３の中央部には、イエロー（Ｙ）、マゼンタ（Ｍ）、シアン（Ｃ）、ブラック（Ｋ）の各色の色インクを記録媒体（図示しない）に吐出するノズルを形成してなる画像記録用ヘッド６、及び画像の記録を補助する補助記録用インクとして、画像記録用インクにより記録される画像の背景を白色でベタ塗りするための白色インク（Ｗ）を吐出するノズルを形成してなる補助記録用ヘッド７が、各色２つずつ、同色のヘッドが互いにヘッド幅分主走査方向Ｘにずれた状態で副走査方向Ｙに沿って配列されるとともに、各色のヘッドが主走査方向Ｘに並列に配置されるように、搭載されている。【００５０】
画像記録用ヘッド６及び補助記録用ヘッドからなるヘッドユニットの両側部には、ノズルから記録媒体に吐出されたインクに対して紫外線を照射する紫外線照射装置８が、各色２つ配設されたヘッドの副走査方向Ｙにおける上流側ヘッドの上流側端部から下流側ヘッドの下流側端部にわたって設けられている。【００５１】
また、インクジェット記録装置２０は、インクジェット記録装置２０を制御するための制御部（図示しない）を有している。この制御部は、各処理プログラムに従い、キャリッジ駆動機構、記録ヘッド６，７、搬送機構（図示しない）、及び紫外線照射装置８等の動作状況等のステータスに基づいて、各部材の動作を制御するようになっている。【００５２】
特に、インクジェット記録装置２０では、制御部は、記録モードに応じて、画像記録用ヘッド６及び補助記録用ヘッド７からインクを吐出させるインク吐出領域１４をそれぞれ選択して、選択したインク吐出領域１４からインクを吐出させて画像を記録させるように画像記録用ヘッド６、補助記録用ヘッド７及び搬送機構１１等を制御するようになっている。  記録モードとしては、通常モード、表刷りモード及び裏刷りモードを有している。【００５３】
ここで、各記録モードにおけるインクの吐出領域の選択について具体的に説明する。制御部は、通常モードが選択されると、図４（Ａ）に示すように、各画像記録用ヘッド６全体、すなわち副走査方向Ｙに各色２つずつ配列された両方の画像記録用ヘッド６をインク吐出領域１４として選択するようになっている。【００５４】
また、表刷りモードが選択されると、制御部は、図４（Ｂ）に示すように、各画像記録用ヘッド６については、副走査方向Ｙに各色２つずつ配列された画像記録用ヘッド６のうち下流側のヘッドをインク吐出領域１４として選択するとともに、補助記録用ヘッド７については、副走査方向Ｙに２つ配列された補助記録用ヘッド７のうち上流側のヘッドをインク吐出領域１４として選択するようになっている。【００５５】
また、裏刷りモードが選択されると、制御部は、図４（Ｃ）に示すように、各画像記録用ヘッド６については、副走査方向Ｙに各色２つずつ配列された画像記録用ヘッド６のうち上流側のヘッドをインク吐出領域１４として選択するとともに、補助記録用ヘッド７については、副走査方向Ｙに２つ配列された補助記録用ヘッド７のうち下流側のヘッドをインク吐出領域１４として選択するようになっている。【００５６】
次に、本実施形態の作用について説明する。【００５７】
記録媒体に画像を記録する際に、通常モードが選択された場合には、各画像記録用ヘッド６について制御部により各色２つずつ配列された両方のノズルアレイがインク吐出領域１４とされ、各色画像記録用ヘッド６全体を用いて画像データに基づいた所定のノズルから各色インクが吐出される。そして、往方向、副方向のそれぞれにおいて、画像記録用ヘッド６の下流側に位置する紫外線照射装置８により、記録媒体に着弾したインクに対して順次紫外線が照射され、インクが硬化する。これにより、背景のない画像が記録媒体に記録される。【００５８】
また、表刷りモードが選択された場合には、制御部により各画像記録用ヘッド６の副走査方向Ｙ下流側のノズルアレイ及び補助記録用ヘッド７の副走査方向Ｙ上流側のノズルアレイがインク吐出領域１４とされ、一主走査ごとに、補助記録用ヘッド７の２つのノズルアレイのうち上流側のノズルアレイからは白色インクがベタに吐出され、画像記録用ヘッド６の２つのノズルアレイのうち下流側のノズルアレイからは画像データに基づいた各色インクが吐出される。そして、往方向、副方向のそれぞれにおいて、ヘッドの主走査方向Ｘ下流側に位置する紫外線照射装置８により、記録媒体に着弾したインクに対して順次紫外線が照射される。【００５９】
ここで、補助記録用ヘッド７のインク吐出領域１４が、画像記録用ヘッド６のインク吐出領域１４より副走査方向Ｙにおいて上流に位置しているため、一主走査において補助記録用ヘッド７からベタに吐出され記録媒体に着弾した白色インクが紫外線により記録媒体上で硬化した後、この白色インクがベタ打ちされた部分が、副走査方向Ｙに搬送され、当該部分には、次の一主走査において画像記録用ヘッド６からインクが吐出され画像が記録される。これにより、白色を背景とした画像が記録媒体に記録される。【００６０】
また、裏刷りモードが選択された場合には、制御部により各画像記録用ヘッド６の副走査方向Ｙ上流側のノズルアレイ及び補助記録用ヘッド７の副走査方向Ｙ下流側のノズルアレイがインク吐出領域１４とされ、記録媒体の裏面にたいして、一主走査ごとに、各画像記録ヘッド６の２つのノズルアレイのうち上流側のヘッドからは画像データに基づいた各色インクが吐出され、補助用記録ヘッド７の２つのノズルアレイのうち下流側のノズルアレイからは白色インクがベタに吐出される。そして、往方向、副方向のそれぞれにおいて、ヘッドの主走査方向Ｘ下流側に位置する紫外線照射装置８により、記録媒体に着弾したインクに対して順次紫外線が照射される。【００６１】
ここで、画像記録用ヘッド６のインク吐出領域１４が、補助記録用ヘッド７のインク吐出領域１４より副走査方向Ｙにおいて上流に位置しているため、一主走査において画像記録用ヘッド６から画像データに基づいて吐出された各色インクが紫外線により記録媒体上で硬化した後、この画像が記録された部分が、副走査方向Ｙに搬送され、当該部分には、次の一主走査において補助記録用ヘッド７からベタに白色インクが記録媒体に吐出される。これにより、白色を背景とした画像が記録媒体に記録される。【００６２】
このように、画像記録用インクと補助記録用インクとを重ねて記録する場合にあっては、各画像記録用ヘッド６の副走査方向Ｙに配列された２つのノズルアレイのうちの１つと、補助記録用ヘッド７の副走査方向Ｙに配列された２つのノズルアレイのうちの１つが、先に記録するノズルアレイが、後に記録するノズルアレイより上流側になるように選択される。上流側で吐出されたインクにはヘッドユニットの両側部に設けられた紫外線照射装置８の副走査方向Ｙにおける上流側から紫外線が照射されインクが硬化するため、画像記録用ヘッド６の両側部に補助記録用ヘッド７を設けた上に、画像記録用ヘッド６と補助記録用ヘッド７との間にも紫外線照射装置８を設けるという必要がない。【００６３】
また、画像記録用ヘッド６の副走査方向Ｙにおける上流側及び下流側の少なくともいずれか一方に補助記録用ヘッド７を設ける必要もないため、紫外線照射装置８を、副走査方向Ｙに画像記録用ヘッド６及び補助記録用インクの合計ヘッド長分の長さで設ける必要もない。【００６４】
以上より、本実施形態によれば、画像記録用ヘッド６の両側部に補助記録用ヘッド７を設けたり、画像記録用ヘッド６の副走査方向Ｙにおける上流側および下流側に補助記録用ヘッド７を設ける必要がないため、各ヘッドを搭載するキャリッジ３や装置全体の小型化を図ることができ、装置コストを低減することができる。また、記録媒体を支持するプラテン９の面積を大きくする必要がないため、搬送精度が低下することがなく良好な画像を得ることができる。【００６５】
さらに、紫外線照射装置８を、画像記録用ヘッド６と補助記録用ヘッド７との間に設けたり、副走査方向Ｙに画像記録用ヘッド６及び補助記録用ヘッド７の合計長分の長さで設けたりする必要もないことからも、装置の小型化及び装置コストの低減を図ることができ、かつ、発熱量が低減され良好な画像を得ることができる。【００６６】
なお、本発明は、本実施形態に限定されないことは第１実施形態と同様である。【００６７】
次に、本発明によるインクジェット記録装置の第３実施形態について、図５を参照して、説明する。なお、本実施形態によるインクジェット記録装置３０は、画像記録用ヘッド６及び補助記録用ヘッド７の配置、並びにインクの吐出動作に関する制御以外の構成は、第１実施形態とほぼ同様であるので、以下においては、特に第１実施形態と異なる点について説明する。【００６８】
インクジェット記録装置３０は、キャリッジ駆動機構（図示しない）により記録媒体の上方を主走査方向Ｘに往復移動するキャリッジ３を有しており、このキャリッジ３の中央部には、イエロー（Ｙ）、マゼンタ（Ｍ）の各色インクを吐出するノズルを形成してなる画像記録用ヘッド６が、互いにヘッド幅分主走査方向Ｘにずれた状態で副走査方向Ｙに沿って配列されており、シアン（Ｃ）、ブラック（Ｋ）の各色インクを吐出するノズルを形成してなる画像記録用ヘッド６が、同様に副走査方向Ｙに沿って配列されるとともに、画像の記録を補助する補助記録用インクとして、画像記録用インクにより記録される画像の背景を白色でベタ塗りするための白色インク（Ｗ）を吐出するノズルを形成してなる２つの補助記録用ヘッド７が、互いにヘッド幅分主走査方向Ｘにずれた状態で副走査方向Ｙに沿って配列されるように、搭載されている。【００６９】
画像記録用ヘッド６及び補助記録用ヘッド７かなるヘッドユニットの両側部には、ノズルから記録媒体に吐出されたインクに対して紫外線を照射する紫外線照射装置８が、副走査方向Ｙにおける上流側ヘッドの上流側端部から下流側ヘッドの下流側端部にわたって設けられている。【００７０】
また、インクジェット記録装置３０は、インクジェット記録装置３０を制御するための制御部（図示しない）を有している。この制御部は、各処理プログラムに従い、キャリッジ駆動機構、記録ヘッド６，７、搬送機構、及び紫外線照射装置８等の動作状況等のステータスに基づいて、各部材の動作を制御するようになっている。【００７１】
特に、インクジェット記録装置３０では、制御部は、記録モードに応じて、画像記録用ヘッド６及び補助記録用ヘッド７からインクを吐出させるインク吐出領域１４をそれぞれ選択して、選択したインク吐出領域１４からインクを吐出させて画像を記録させるように画像記録用ヘッド６、補助記録用ヘッド７及び搬送機構１１等を制御するようになっている。  記録モードとしては、通常モード、表刷りモード及び裏刷りモードを有している。【００７２】
ここで、各記録モードにおけるインクの吐出領域の選択について具体的に説明する。制御部は、通常モードが選択されると、図５（Ａ）に示すように、各画像記録用ヘッド６全体、すなわち各画像記録用ヘッド６に形成されたノズル列全体をインク吐出領域１４として選択するようになっている。【００７３】
また、表刷りモードが選択されると、制御部は、図５（Ｂ）に示すように、画像記録用ヘッド６のうち副走査方向Ｙ上流側に位置するマゼンタ（Ｍ）及びブラック（Ｋ）の各画像記録用ヘッド６については、ノズル列の副走査方向Ｙにおける下流側半分の領域をインク吐出領域１４として選択し、下流側に位置するイエロー（Ｙ）及びシアン（Ｃ）の各画像記録用ヘッド６については、ノズル列の副走査方向Ｙにおける上流側半分の領域をインク吐出領域１４として選択するとともに、補助記録用ヘッド７については、副走査方向Ｙ上流側のヘッドのノズル列の上流側半分の領域をインク吐出領域１４として選択するようになっている。【００７４】
また、裏刷りモードが選択されると、制御部は、図５（Ｃ）に示すように、画像記録用ヘッド６のうち副走査方向Ｙ上流側に位置するマゼンタ（Ｍ）及びブラック（Ｋ）の各画像記録用ヘッド６については、ノズル列の副走査方向Ｙにおける下流側半分の領域をインク吐出領域１４として選択し、下流側に位置するイエロー（Ｙ）及びシアン（Ｃ）の各画像記録用ヘッド６については、ノズル列の副走査方向Ｙにおける上流側半分の領域をインク吐出領域１４として選択するとともに、補助記録用ヘッド７については、副走査方向Ｙ下流側のヘッドのノズル列の下流側半分の領域をインク吐出領域１４として選択するようになっている。【００７５】
次に、本実施形態の作用について説明する。【００７６】
記録媒体に画像を記録する際に、通常モードが選択された場合には、制御部により画像記録用ヘッド６全体がインク吐出領域１４とされ、全ノズルを用いて画像データに基づいた所定のノズルから各色インクが吐出される。そして、往方向、副方向のそれぞれにおいて、画像記録用ヘッド６の下流側に位置する紫外線照射装置８により、記録媒体に着弾したインクに対して順次紫外線が照射され、インクが硬化する。これにより、背景のない画像が記録媒体に記録される。【００７７】
また、表刷りモードが選択された場合には、制御部によりマゼンタ（Ｍ）及びブラック（Ｋ）の画像記録用ヘッド６のノズル列における副走査方向Ｙの下流側半分の領域、イエロー（Ｙ）及びシアン（Ｃ）の画像記録用ヘッド６のノズル列における副走査方向Ｙの上流側半分の領域、及び副走査方向Ｙ上流側の補助記録用ヘッド７のノズル列の上流側半分の領域がインク吐出領域１４とされ、一主走査ごとに、上流側の補助用記録ヘッドの上流側のノズルからは白色インクがベタに吐出され、マゼンタ（Ｍ）及びブラック（Ｋ）の画像記録用ヘッド６の下流側のノズル及びイエロー（Ｙ）及びシアン（Ｃ）の画像記録用ヘッド６の上流側のノズルからは画像データに基づいた各色インクが吐出される。そして、往方向、副方向のそれぞれにおいて、ヘッドユニットの主走査方向Ｘ下流側に位置する紫外線照射装置８により、記録媒体に着弾したインクに対して順次紫外線が照射される。【００７８】
ここで、補助記録用ヘッド７のインク吐出領域１４が、画像記録用ヘッド６のインク吐出領域１４より副走査方向Ｙにおいて上流に位置しているため、一主走査において補助記録用ヘッド７からベタに吐出され記録媒体に着弾した白色インクが紫外線により記録媒体上で硬化した後、この白色インクがベタ打ちされた部分が、副走査方向Ｙに搬送され、当該部分には、次の一主走査においてマゼンタ（Ｍ）及びブラック（Ｋ）の画像記録用ヘッド６からインクが吐出される。そして、マゼンタ（Ｍ）及びブラック（Ｋ）の各色インクが紫外線により硬化した後、このベタ打ちされた白色インクの上にマゼンタ（Ｍ）及びブラック（Ｋ）の各色インクで記録された画像部分が、副走査方向Ｙに搬送され、次の一主走査においてイエロー（Ｙ）及びシアン（Ｃ）の画像記録用ヘッド６からインクが吐出され画像が記録される。これにより、白色を背景としたカラー画像が記録媒体に記録される。【００７９】
また、裏刷りモードが選択された場合には、制御部によりマゼンタ（Ｍ）及びブラック（Ｋ）の画像記録用ヘッド６のノズル列における副走査方向Ｙの下流側領域、イエロー（Ｙ）及びシアン（Ｃ）の画像記録用ヘッド６のノズル列における副走査方向Ｙの上流側領域、及び副走査方向Ｙ下流側の補助記録用ヘッド７のノズル列の下流側領域がインク吐出領域１４とされ、一主走査ごとに、記録媒体の裏面に、マゼンタ（Ｍ）及びブラック（Ｋ）の画像記録用ヘッド６の下流側のノズル及びイエロー（Ｙ）及びシアン（Ｃ）の画像記録用ヘッド６の上流側のノズルからは画像データに基づいた各色インクが吐出され、２つの補助用記録ヘッドのうち下流側のヘッドの下流側のノズルからは白色インクがベタに吐出される。そして、往方向、副方向のそれぞれにおいて、ヘッドの主走査方向Ｘ下流側に位置する紫外線照射装置８により、記録媒体に着弾したインクに対して順次紫外線が照射される。【００８０】
ここで、画像記録用ヘッド６のインク吐出領域１４が、補助記録用ヘッド７のインク吐出領域１４より副走査方向Ｙにおいて上流に位置しているため、一主走査においてまずマゼンタ（Ｍ）及びブラック（Ｋ）の画像記録用ヘッド６から画像データに基づいて吐出された各色インクが紫外線により記録媒体上で硬化した後、この画像が記録された部分が、副走査方向Ｙに搬送され、次の一主走査において、マゼンタ（Ｍ）及びブラック（Ｋ）の各色インクで記録された画像部分にイエロー（Ｙ）及びシアン（Ｃ）の画像記録用ヘッド６からインクが吐出される。そして、イエロー（Ｙ）及びシアン（Ｃ）の各色インクが紫外線により硬化した後、各色インクで記録された画像部分が、副走査方向Ｙに搬送され、当該部分には、次の一主走査において補助記録用ヘッド７からベタに白色インクが記録媒体に吐出される。これにより、白色を背景としたカラー画像が記録媒体に記録される。【００８１】
このように、画像記録用インクと補助記録用インクとを重ねて記録する場合にあっては、いずれか先に記録するヘッドのインクを吐出させるノズル領域が、後に記録するヘッドのインクを吐出させるノズル領域より、副走査方向Ｙにおいて上流側になるように選択すればよく、上流側で吐出されたインクにはヘッドユニットの両側部に設けられた紫外線照射装置８の副走査方向Ｙにおける上流側から紫外線が照射されインクが硬化するため、画像記録用ヘッド６の両側部に補助記録用ヘッド７を設けた上に、画像記録用ヘッド６と補助記録用ヘッド７との間にも紫外線照射装置８を設けるという必要がない。【００８２】
また、画像記録用ヘッド６の副走査方向Ｙにおける上流側及び下流側の少なくともいずれか一方に補助記録用ヘッド７を設ける必要もないため、紫外線照射装置８を、副走査方向Ｙに画像記録用ヘッド６及び補助記録用インクの合計ヘッド長分の長さで設ける必要もない。【００８３】
以上より、本実施形態によれば、画像記録用ヘッド６の両側部に補助記録用ヘッド７を設けたり、画像記録用ヘッド６の副走査方向Ｙにおける上流側および下流側に補助記録用ヘッド７を設ける必要がないため、各ヘッドを搭載するキャリッジ３や装置全体の小型化を図ることができ、装置コストを低減することができる。また、記録媒体を支持するプラテン９の面積を大きくする必要がないため、搬送精度が低下することがなく良好な画像を得ることができる。【００８４】
さらに、紫外線照射装置８を、画像記録用ヘッド６と補助記録用ヘッド７との間に設けたり、副走査方向Ｙに画像記録用ヘッド６及び補助記録用インクの合計ヘッド長分の長さで設けたりする必要もないことからも、装置の小型化及び装置コストの低減を図ることができ、かつ、発熱量が低減され良好な画像を得ることができる。【００８５】
なお、本発明は、本実施形態に限定されないことは第１実施形態と同様である。特に、本実施形態においては、画像記録用ヘッド６については、表刷りモード、裏刷りモードともに、マゼンタ（Ｍ）及びブラック（Ｋ）の画像記録用ヘッド６のノズル列における副走査方向Ｙの下流側領域、及びイエロー（Ｙ）及びシアン（Ｃ）の画像記録用ヘッド６のノズル列における副走査方向Ｙの上流側領域をインク吐出領域１４として選択するようにしたが、表刷りモードにおいては、各色全画像記録用ヘッド６ともに、ノズル列の副走査方向Ｙにおける下流側半分の領域をインク吐出領域１４として選択するようにしてもよい。また、裏刷りモードにおいては、各色全画像記録用ヘッド６ともに、ノズル列の副走査方向Ｙにおける上流側半分の領域をインク吐出領域１４として選択するようにしてもよい。【００８６】
なお、以上の実施形態においては、画像の背景を記録するために背景色インクがおもにベタで吐出されているが、本発明はこれに限定されず、例えば、階調を伴う背景など様々なタイプの背景を記録することができる。【００８７】
本発明は、以下の構成を含む。【００８８】
（１）インクジェット記録装置が、主走査方向と直行する副走査方向にインクを吐出できるよう複数のノズルが配列された画像記録用ノズルアレイを有し、光硬化性の画像記録用インクを、主走査方向に往復移動しながら、副走査方向に搬送される記録媒体に対して吐出する画像記録用ヘッドと、前記画像記録用ヘッドと主走査方向に並列に配設され、主走査方向と直行する副走査方向にインクを吐出できるよう複数のノズルが配列された補助記録用ノズルアレイを有し、画像の記録を補助する光硬化性の補助記録用インクを、主走査方向に往復移動しながら、前記記録媒体に対して吐出する補助記録用ヘッドと、前記画像記録用ヘッドと前記補助記録用ヘッドとの主走査方向両側に、少なくとも前記補助記録用ヘッドの副走査方向の長さと同等の長さを以て配置され、前記記録媒体に吐出された前記画像記録用インクあるいは前記補助記録用インクに光を照射して硬化させる光照射装置と、前記画像記録用ノズルアレイ及び前記補助記録用ノズルアレイから、それぞれインクを吐出させるノズルを選択して、各々のインク吐出領域を変更できるように前記画像記録用ノズルアレイ及び前記補助記録用ノズルアレイを制御するとともに、光を照射するタイミングを変更できるように前記光照射装置を制御する制御部と、を備え、前記画像記録用インクのみを用いて画像の記録を行う通常モード、先に前記画像記録用インクにより画像の記録を行った後に前記補助記録用インクを重ねる先刷りモード、及び、先に前記補助記録用インクを吐出した後に前記画像記録用インクにより画像を重ねる後刷りモードのうちいずれか二以上の記録モードを有し、前記制御部は、前記通常モードにおいては、前記画像記録用ノズルアレイ全体をインクを吐出する画像記録用ノズルとして選択して、前記選択したノズルアレイからインクを吐出するように前記画像記録用ノズルアレイを制御し、前記先刷りモードにおいては、画像記録用インクを吐出する画像記録用ノズルアレイを構成する一部のノズルが、補助記録用インクを吐出する補助記録用ノズルアレイを構成する一部のノズルより副走査方向において上流側となるようにし、上流側に位置した前記画像記録用ノズルアレイの一部から前記画像記録用インクを吐出すると共に、下流側に位置した前記補助記録用ノズルアレイの一部から前記補助記録用インクを吐出するように前記各ヘッドのノズルを各々選択し、前記選択したノズルから各々インクを吐出するように前記画像記録用ノズルアレイ及び前記補助記録用ノズルアレイを制御するとともに、上流側に位置した前記画像記録用ノズルアレイの一部から吐出したインクに前記光照射装置から光を照射して硬化させた後に、下流側に位置した前記補助記録用ノズルアレイの一部からインクが吐出されるように制御し、前記後刷りモードにおいては、画像記録用インクを吐出する画像記録用ノズルアレイを構成する一部のノズルが、補助記録用インクを吐出する補助記録用ノズルアレイを構成する一部のノズルより副走査方向において下流側となるようにし、下流側に位置した前記画像記録用ノズルアレイの一部から画像記録用インクを吐出すると共に、上流側に位置した前記補助記録用ノズルアレイの一部から補助記録用インクを吐出するように前記各ヘッドのノズルを各々選択し、前記選択したノズルから各々インクを吐出するように前記画像記録用ノズルアレイ及び前記補助記録用ノズルアレイを制御するするとともに、上流側に位置した前記補助記録用ノズルアレイの一部から吐出したインクに前記光照射装置から光を照射して硬化させた後に、下流側に位置した前記画像記録用ノズルアレイの一部から前記インクが吐出されるように制御する。
【００８９】
上記（１）によれば、記録モードに応じて、画像記録用ヘッド及び補助記録用ヘッドからインクを吐出させるインク吐出領域が副走査方向において選択されることから、例えば、補助記録用インクの上から画像記録用インクを重ねる場合には、補助記録用ヘッドについては副走査方向の上流側をインク吐出領域として選択し、画像記録用ヘッドについては下流側をインク吐出領域として選択することにより、一主走査において補助記録用ヘッドからインクを吐出させ、この補助記録用インクにより記録が行われた記録媒体を副走査方向に搬送させた後、次の一主走査において画像記録用ヘッドからインクを吐出させればよいため、画像記録用ヘッドの両側部に補助記録用ヘッドを設けたり、画像記録用ヘッドの副走査方向における上流側に補助記録用ヘッドを設ける必要がない。
さらに、画像記録用インクと補助記録用インクとを重ねて記録する場合にあっては、いずれか先に記録するインクを吐出させるヘッドのインク吐出領域が、後に記録するインクを吐出させるヘッドのインク吐出領域より、副走査方向において上流側になるように選択すればよいことから、上流側で吐出されたインクにはヘッドユニットの両側部に設けられた光照射装置の副走査方向における上流側から光が照射されインクが硬化するため、画像記録用ヘッドの両側部に補助記録用ヘッドを設けた上に、画像記録用ヘッドと補助記録用ヘッドとの間にも光照射装置を設けるという必要がない。
また、画像記録用ヘッドの副走査方向における上流側及び下流側の少なくともいずれか一方に補助記録用ヘッドを設ける必要もないため、光照射装置を、副走査方向に画像記録用ヘッド及び補助記録用インクの合計ヘッド長分の長さで設ける必要もない。
【００９２】
また、後刷りモードでは、補助記録用ヘッドのインク吐出領域が、画像記録用ヘッドのインク吐出領域より副走査方向において上流に位置しているため、一主走査において補助記録用ヘッドからインクが吐出された後、この補助記録用インクが記録された部分が、副走査方向に搬送され、当該部分に、次の一主走査において画像記録用ヘッドからインクが吐出され画像が記録されることにより、補助記録用インクの上に重ねて画像記録用インクにより画像が記録される。
（２）上記（１）に記載のインクジェット記録装置において、前記補助記録用インクは、画像の背景の記録に用いる背景用インクであり、前記先刷りモードは、前記記録媒体の裏面に前記画像記録用インクにより画像を記録し、その上から前記背景用インクを吐出する裏刷りモードであり、前記後刷りモードは、前記記録媒体の表面に前記背景用インクを吐出し、その上から前記画像記録用インクにより画像を記録する表刷りモードである。
【００９３】
上記（２）によれば、裏刷りモードでは、画像記録用ヘッドのインク吐出領域が、補助記録用ヘッドのインク吐出領域より副走査方向において上流に位置しているため、一主走査において画像記録用ヘッドから記録媒体の裏面に対してインクが吐出されて画像が記録された後、この画像が記録された部分が、副走査方向に搬送され、当該部分に、次の一主走査において補助記録用ヘッドから背景用インクが吐出されることにより、背景用インクを背景として画像記録用インクにより画像が記録される。
【００９４】
また、表刷りモードでは、補助記録用ヘッドのインク吐出領域が、画像記録用ヘッドのインク吐出領域より副走査方向において上流に位置しているため、一主走査において補助記録用ヘッドから背景用インクが吐出された後、この補助記録用インクが吐出された部分が、副走査方向に搬送され、当該部分に、次の一主走査において画像記録用ヘッドからインクが吐出され画像が記録されることにより、吐出された背景用インクを背景として画像記録用インクにより画像が記録される。
（３）上記（２）に記載のインクジェット記録装置において、前記背景用インクは、白色インクである。
【００９５】
上記（３）によれば、表刷りモード及び裏打ちモードでは、白色インクを背景とした画像が記録される。
（４）上記（１）に記載のインクジェット記録装置において、前記インク吐出領域は、前記ノズルが副走査方向に配列されたノズル列の副走査方向における上流側領域、下流側領域及び全体のいずれかである。
【００９６】
上記（４）によれば、同種のインクについては一つの画像用記録ヘッド及び補助記録用ヘッドにより、各種記録モードに対応した画像を記録することができる。
【００９７】
（５）上記（１）に記載のインクジェット記録装置において、同種のインクを吐出する複数の前記画像記録用ノズルアレイ及び同種のインクを吐出する複数の前記補助記録用ノズルアレイを副走査方向に沿ってそれぞれ配設し、前記インク吐出領域は、前記同種のインクを吐出する複数の記録用ノズルアレイの副走査方向における上流側、下流側及び全記録用ノズルアレイのいずれかである。
【００９８】
上記（５）によれば、同種のインクについて複数の画像用記録ノズルアレイ及び補助記録用ノズルアレイを備えた場合においても、各種記録モードに対応した画像を記録することができる。
【０１００】
（６）上記（１）に記載のインクジェット記録装置において、前記画像記録用インク及び補助記録用インクは紫外線を照射することにより硬化する紫外線硬化型のインクであり、前記光照射装置は、紫外線照射装置である。
【０１０１】
前記（６）によれば、紫外線照射装置を、画像記録用ヘッドと補助記録用ヘッドとの間にも設けたり、副走査方向に画像記録用ヘッド及び補助記録用インクの合計ヘッド長分の長さで設ける必要がない。
【０１０２】
上記（１）によれば、画像記録用ヘッドの両側部に補助記録用ヘッドを設けたり、画像記録用ヘッドの副走査方向における上流側に補助記録用ヘッドを設ける必要がないため、各ヘッドを搭載するキャリッジや装置全体の小型化を図ることができ、装置コストを低減することができる。また、記録媒体を支持するプラテンの面積を大きくする必要がないため、搬送精度が低下することがなく良好な画像を得ることができる。
また、画像記録用ヘッドの両側部に補助記録用ヘッドを設けたり、画像記録用ヘッドの副走査方向における上流側および下流側の少なくともいずれか一方に補助記録用ヘッドを設ける必要がないため、各ヘッドを搭載するキャリッジや装置全体の小型化を図ることができ、装置コストを低減することができる。また、記録媒体を支持するプラテンの面積を大きくする必要がないため、搬送精度が低下することがなく良好な画像を得ることができる。
さらに、光照射装置を、画像記録用ヘッドと補助記録用ヘッドとの間に設けたり、副走査方向に画像記録用ヘッド及び補助記録用インクの合計ヘッド長分の長さで設けたりする必要もないことからも、装置の小型化及び装置コストの低減を図ることができ、かつ、発熱量が低減され良好な画像を得ることができる。
【０１０３】
上記（１）によれば、先刷りモード、及び後刷りモードのうち少なくともいずれか一以上の記録モードを有する場合であっても、画像記録用ヘッドの両側部に補助記録用ヘッドを設けたり、画像記録用ヘッドの副走査方向における上流側に補助記録用ヘッドを設ける必要がないため、各ヘッドを搭載するキャリッジや装置全体の小型化を図ることができ、装置コストを低減することができる。また、記録媒体を支持するプラテンの面積を大きくする必要がないため、搬送精度が低下することがなく良好な画像を得ることができる。
【０１０４】
上記（２）によれば、背景と画像を記録する記録モードを有する場合であっても、装置の小型及び装置コストの低減を図ることができ、かつ、良好な画像を得ることができる。
【０１０５】
上記（３）によれば、白色インクを背景とした画像を記録する記録モードを有する場合であっても、装置の小型及び装置コストの低減を図ることができ、かつ、良好な画像を得ることができる。
【０１０６】
上記（４）によれば、同種のインクについて一つの画像用記録ノズルアレイ及び補助記録用ノズルアレイにより、各種記録モードに対応した画像を記録する場合であっても、装置の小型及び装置コストの低減を図ることができ、かつ、良好な画像を得ることができる。
【０１０７】
上記（５）によれば、同種のインクについて複数の画像記録用ノズルアレイ及び補助記録用ノズルアレイを備え、各種記録モードに対応した画像を記録する場合においても、装置の小型及び装置コストの低減を図ることができ、かつ、良好な画像を得ることができる。
【０１１０】
上記（６）によれば、紫外線照射装置を、画像記録用ヘッドと補助記録用ヘッドとの間に設けたり、副走査方向に画像記録用ヘッド及び補助記録用インクの合計ヘッド長分の長さで設けたりする必要もないことからも、装置の小型化及び装置コストの低減を図ることができ、かつ、発熱量が低減され良好な画像を得ることができる。
【産業上の利用可能性】
【０１１１】
本発明によるインクジェット記録装置においては、画像記録用ヘッドの両側部に補助記録用ヘッドを設けたり、画像記録用ヘッドの副走査方向における上流側に補助記録用ヘッドを設ける必要がないため、各ヘッドを搭載するキャリッジや装置全体の小型化を図ることができ、装置コストを低減することができる。また、記録媒体を支持するプラテンの面積を大きくする必要がないため、搬送精度が低下することがなく良好な画像を得ることができる。
【図１】
0004770734.tif 000002
【図２】
0004770734.tif 000003
【図３】
0004770734.tif 000004
【図４】
0004770734.tif 000005
【図５】
0004770734.tif 000006